(57)【要約】【課題】画像データを記録すること。【解決手段】画像処理装置１０３は、ＲＡＷデータに基づいて、Ｇ１の色情報を含むＧ１面と、Ｒの色情報を含むＲ面と、Ｂの色情報を含むＢ面とを用いて、３色の色情報を１画素に持つＮ画素の第１の画像データと、Ｇ２の色情報服務Ｇ１面を用いて１つの色情報を１画素に持つＮ画素の第２の画像データとを生成し、生成した画像データに基づいて画像ファイルを生成する。そして、画像処理装置１０３は、生成したそれぞれの画像ファイルのヘッダ部にＲＡＷデータにおける各画素をどのように配置して第１の画像データと第２の画像データとを作成したかを特定するための情報を記録する。【選択図】図１
2012004807.tif 000002
【特許請求の範囲】
【請求項１】
２個の第１の色の画素と、１個の第２の色の画素と、１個の第３の色の画素との４画素を基本単位とし、前記基本単位の４画素をＮ個有する元画像データに基づいて、前記元画像データを再現可能な、少なくともＮ個ずつの前記第１の色の画素を持つ第１の画像データと第２の画像データを作成する画像データ作成手段と、
前記画像データ作成手段により作成された前記第１の画像データに基づいて第１の画像ファイルを作成し、前記第２の画像データに基づいて第２の画像ファイルを作成する画像ファイル作成手段と、
前記第１の画像ファイル内に、少なくとも前記第１の画像データを作成するために使用された前記元画像データにおける前記第１の色の画素に関する情報を記録し、前記第２の画像ファイル内に、少なくとも前記第２の画像データを作成するために使用された前記元画像データにおける前記第１の色の画素に関する情報を記録する記録手段とを備えることを特徴とする画像記録装置。
【請求項２】
請求項１に記載の画像記録装置において、
前記第１の画像ファイル内に記録されている前記第１の色の画素に関する情報と、前記第２の画像ファイル内に記録されている前記第１の色の画素に関する情報とに基づいて、前記第１の画像データと前記第２の画像データとを用いて前記元画像データを再現する再現手段をさらに備えることを特徴とする画像記録装置。
【請求項３】
請求項１または２に記載の画像記録装置において、
前記第１の画像データと前記第２の画像データの少なくとも一方は、Ｎ個の前記第１の色の画素と、Ｎ個の前記第２の色の画素と、Ｎ個の前記第３の色の画素とを有することを特徴とする画像記録装置。
【請求項４】
請求項１〜３のいずれか一項に記載の画像記録装置において、
前記画像ファイル作成手段は、前記第１の画像データおよび前記第２の画像データに基づいて、前記第１の色の画素の色情報、または前記第１の色の画素の色情報と前記第２の色の画素の色情報と前記第３の色の画素の色情報とに基づいて作成された輝度情報と、前記第２の色の画素の色情報と前記第１の色の画素の色情報との差分情報と、前記第３の色の画素の色情報と前記第１の色の画素の色情報との差分情報とを演算し、演算結果に基づいて前記第１の画像ファイルおよび前記第２のファイルを作成することを特徴とする画像記録装置。
【請求項５】
請求項１〜４のいずれか一項に記載の画像記録装置において、
前記画像ファイル作成手段は、前記第１の画像データと前記第２の画像データとをＪＰＥＧ形式に圧縮して前記第１の画像ファイルと前記第２の画像ファイルとを作成することを特徴とする画像記録装置。
【請求項６】
請求項１〜５のいずれか一項に記載の画像記録装置において、
前記画像データ作成手段は、前記元画像データに対して階調変換を行い、階調変換後の画像信号に基づいて、前記第１の画像データと前記第２の画像データとを作成することを特徴とする画像記録装置。
【請求項７】
請求項６に記載の画像記録装置において、
前記画像データ作成手段は、前記元画像データを１／２乗〜１／３乗させる階調変換関数、または前記元画像データを原点付近ではリニア出力させ、全体として１／２乗〜１／３乗させる階調変換関数を用いて階調変換を行うことを特徴とする画像記録装置。
【請求項８】
請求項１〜７のいずれか一項に記載の画像記録装置において、
前記画像データ作成手段は、前記元画像データに対してホワイトバランス処理を行い、ホワイトバランス処理後の画像データに基づいて、前記第１の画像データと前記第２の画像データとを作成することを特徴とする画像記録装置。
【請求項９】
２個の第１の色の画素と、１個の第２の色の画素と、１個の第３の色の画素との４画素を基本単位とし、前記基本単位の４画素をＮ個有する元画像データに基づいて、前記元画像データを再現可能な、少なくともＮ個ずつの前記第１の色の画素を持つ第１の画像データと第２の画像データを作成する画像データ作成手順と、
前記画像データ作成手順で作成した前記第１の画像データに基づいて第１の画像ファイルを作成し、前記第２の画像データに基づいて第２の画像ファイルを作成する画像ファイル作成手順と、
前記第１の画像ファイル内に、少なくとも前記第１の画像データを作成するために使用された前記元画像データにおける前記第１の色の画素に関する情報を記録し、前記第２の画像ファイル内に、少なくとも前記第２の画像データを作成するために使用された前記元画像データにおける前記第１の色の画素に関する情報を記録する記録手順とをコンピュータに実行させるための画像記録プログラム。
【発明の詳細な説明】
【技術分野】
【０００１】
本発明は、画像記録装置、および画像記録プログラムに関する。
【背景技術】
【０００２】
次のような電子カメラが知られている。この電子カメラは、撮像によって得た画像データをＲＡＷデータとして記録することができる（例えば、特許文献１）。
【先行技術文献】
【特許文献】
【０００３】
【特許文献１】特開２００１−４５４２７号公報
【発明の概要】
【発明が解決しようとする課題】
【０００４】
しかしながら、従来の電子カメラでは、画像データをＲＡＷデータとして記録すると、画像サイズが大きく扱い難い可能性があった。
【課題を解決するための手段】
【０００５】
本発明による画像記録装置は、２個の第１の色の画素と、１個の第２の色の画素と、１個の第３の色の画素との４画素を基本単位とし、基本単位の４画素をＮ個有する元画像データに基づいて、元画像データを再現可能な、少なくともＮ個ずつの第１の色の画素を持つ第１の画像データと第２の画像データを作成する画像データ作成手段と、画像データ作成手段により作成された第１の画像データに基づいて第１の画像ファイルを作成し、第２の画像データに基づいて第２の画像ファイルを作成する画像ファイル作成手段と、第１の画像ファイル内に、少なくとも第１の画像データを作成するために使用された元画像データにおける第１の色の画素に関する情報を記録し、第２の画像ファイル内に、少なくとも第２の画像データを作成するために使用された元画像データにおける第１の色の画素に関する情報を記録する記録手段とを備えることを特徴とする。
本発明では、第１の画像ファイル内に記録されている第１の色の画素に関する情報と、第２の画像ファイル内に記録されている第１の色の画素に関する情報とに基づいて、第１の画像データと第２の画像データとを用いて元画像データを再現する再現手段をさらに備えるようにしてもよい。
第１の画像データと第２の画像データの少なくとも一方は、Ｎ個の第１の色の画素と、Ｎ個の第２の色の画素と、Ｎ個の第３の色の画素とを有するようにしてもよい。画像ファイル作成手段は、第１の画像データおよび第２の画像データに基づいて、第１の色の画素の色情報、または第１の色の画素の色情報と第２の色の画素の色情報と第３の色の画素の色情報とに基づいて作成された輝度情報と、第２の色の画素の色情報と第１の色の画素の色情報との差分情報と、第３の色の画素の色情報と第１の色の画素の色情報との差分情報とを演算し、演算結果に基づいて第１の画像ファイルおよび第２のファイルを作成するようにしてもよい。
画像ファイル作成手段は、第１の画像データと第２の画像データとをＪＰＥＧ形式に圧縮して第１の画像ファイルと第２の画像ファイルとを作成するようにしてもよい。
画像データ作成手段は、元画像データに対して階調変換を行い、階調変換後の画像信号に基づいて、第１の画像データと第２の画像データとを作成するようにしてもよい。
画像データ作成手段は、元画像データを１／２乗〜１／３乗させる階調変換関数、または元画像データを原点付近ではリニア出力させ、全体として１／２乗〜１／３乗させる階調変換関数を用いて階調変換を行うようにしてもよい。
画像データ作成手段は、元画像データに対してホワイトバランス処理を行い、ホワイトバランス処理後の画像データに基づいて、第１の画像データと第２の画像データとを作成するようにしてもよい。
本発明による画像記録プログラムは、２個の第１の色の画素と、１個の第２の色の画素と、１個の第３の色の画素との４画素を基本単位とし、基本単位の４画素をＮ個有する元画像データに基づいて、元画像データを再現可能な、少なくともＮ個ずつの第１の色の画素を持つ第１の画像データと第２の画像データを作成する画像データ作成手順と、画像データ作成手順で作成した第１の画像データに基づいて第１の画像ファイルを作成し、第２の画像データに基づいて第２の画像ファイルを作成する画像ファイル作成手順と、第１の画像ファイル内に、少なくとも第１の画像データを作成するために使用された元画像データにおける第１の色の画素に関する情報を記録し、第２の画像ファイル内に、少なくとも第２の画像データを作成するために使用された元画像データにおける第１の色の画素に関する情報を記録する記録手順とをコンピュータに実行させることを特徴とする。
【発明の効果】
【０００６】
本発明によれば、画像サイズを小さくして扱い易くすることができる。
【図面の簡単な説明】
【０００７】
【図１】カメラの一実施の形態の構成を示すブロック図である。
【図２】Ｂａｙｅｒ配列の具体例を示す図である。
【図３】第１の画像データと第２の画像データの具体例を示す第１の図である。
【図４】第１の画像データと第２の画像データにおけるＧ面の生成方法を模式的に示す図である。
【図５】第１の画像データと第２の画像データの生成方法を模式的に示す第１の図である。
【図６】第１の画像データと第２の画像データの具体例を示す第２の図である。
【図７】第１の画像データと第２の画像データの生成方法を模式的に示す第２の図である。
【図８】第１の画像データと第２の画像データの具体例を示す第３の図である。
【図９】第１の画像データと第２の画像データの生成方法を模式的に示す第３の図である。
【図１０】第１の画像データと第２の画像データの具体例を示す第４の図である。
【図１１】第１の画像データと第２の画像データの生成方法を模式的に示す第４の図である。
【図１２】第１の画像データと第２の画像データの具体例を示す第５の図である。
【図１３】第１の画像データと第２の画像データの生成方法を模式的に示す第５の図である。
【図１４】階調変換特性ｆ（ｘ）の具体例を示す図である。
【発明を実施するための形態】
【０００８】
―第１の実施の形態―
図１は、第１の実施の形態におけるカメラの一実施の形態の構成を示すブロック図である。カメラ１００は、撮影レンズ１０１と、撮像素子１０２と、画像処理装置１０３と、記憶媒体１０４とを備えている。本実施の形態における撮像素子１０２は、ベイア配列のＲＧＢカラーフィルタが配置された単板撮像素子であり、撮影レンズ１０１により結像した被写体像を撮像する。そして、撮像によって取得した画像信号を画像処理装置１０３へ出力する。画像処理装置１０３は、ＣＰＵやメモリ等から構成され、入力された画像信号に対して画像処理を施す。記憶媒体１０４は、例えば、カメラ１００に搭載された内部メモリや、メモリカードスロットに挿入されるメモリカード等の外部メモリであって、画像処理装置１０３によって画像処理が施された後の画像データを記録するためのものである。
【０００９】
ここで、本実施の形態における撮像素子１０２について説明する。図２に示すように、Ｂａｙｅｒ配列の基本単位２ａは、Ｇが２画素（図２ではＧ１、Ｇ２と表記）、Ｒが１画素、Ｂが１画素の４画素であり、これが繰り返される構造となっている。この基本単位２ａをＮ個持つ画像データ、すなわち４Ｎ個の画素を持つ画像データがＢａｙｅｒ配列のＲＡＷデータであり、撮像素子１０２は、該ＲＡＷデータを画像処理装置１０３へ出力する。なお、図２の例ではＲＡＷデータは３６画素（６画素×６画素）を有している。
【００１０】
このように撮像素子１０２から出力されるＲＡＷデータは、データサイズが大きく、このまま記録すると多くの記憶領域を消費する上に、使用者がデータを扱いにくくなる。そこで、本実施の形態では、画像処理装置１０３は、図３（ａ）に示すように、ＲＡＷデータに基づいて、Ｇ１の色情報を含むＧ１面と、Ｒの色情報を含むＲ面と、Ｂの色情報を含むＢ面とを用いて、３色の色情報を１画素に持つＮ画素の第１の画像データ３ａを作成し、さらにＧ２の色情報を持つＧ２面を用いて、１色の色情報を１画素に持つＮ画素の第２の画像データ３ｂを生成する。そして、これらを記憶媒体１０４に記録する。
【００１１】
すなわち、図２に示した３６画素のＲＡＷデータは、図３（ｂ）に示すように、Ｒ、Ｇ１、Ｂの３面を持つ９画素（３画素×３画素）の第１の画像データ３ａと、Ｇ２面のみの９画素（３画素×３画素）の第２の画像データ３ｂとに変換されて記録されることになる。
【００１２】
これによって、記録される画像データは、上記ＲＡＷデータよりも１／４のデータサイズの第１の画像データ３ａと第２の画像データ３ｂとで済むため、記録する画像データのサイズを小さくすることができ、使用者が画像データを扱いやすくなる。例えば、第１の画像データ３ａと第２の画像データ３ｂとをＪｐｅｇ形式の画像データに圧縮する場合には、ＲＡＷデータとして記録する場合、２４００万画素のＲＡＷデータのデータサイズが３６ＭＢである場合には、その１／４の６００万画素のＪｐｅｇデータのデータサイズは３ＭＢ程度となり、これを２枚記録するだけで済むため、ＲＡＷデータを記録するよりも大幅にデータサイズを小さくすることができる。
【００１３】
また、第１の画像データ３ａは、Ｇ１、Ｒ、Ｂの３色の色情報を持つため、使用者は、第１の画像データ３ａを開くことにより、画像を閲覧することが可能となる。さらに、第１の画像データ３ａと第２の画像データ３ｂとを用いれば、図３（ｃ）に示すようにＲＡＷデータを復元することが可能であるため、これら２つの第１の画像データ３ａと第２の画像データ３ｂとを記録しておけば、ＲＡＷデータを保存した場合と同様に画像データを扱うことができる。
【００１４】
ここで、第１の実施の形態における第１の画像データ３ａと第２の画像データ３ｂとの生成方法について説明する。まず、Ｇ画素（Ｇ１画素、Ｇ２画素）については、画像処理装置１０３は、例えば、図４に示すように各画素を第１の画像データ３ａと第２の画像データ３ｂとに振り分ける。すなわち、画像処理装置１０３は、ＲＡＷデータ上で図４（ａ）に示すように配置されているＧ１画素（Ｇ１１１〜Ｇ１５５）を図４（ｂ）に示すように配置して第１の画像データ３ａのＧ１面とし、図４（ａ）に示すように配置されているＧ２画素（Ｇ２２２〜Ｇ２６６）を図４（ｃ）に示すように配置して第２の画像データ３ｂのＧ２面とする。
【００１５】
あるいは、画像処理装置１０３は、図４（ｄ）に示すように第１の画像データ３ａのＧ１面を作成し、図４（ｅ）に示すように第２の画像データ３ｂのＧ２面を作成するようにしてもよい。すなわち、画像処理装置１０３は、ＲＡＷデータ上で図４（ａ）に示すように配置されているＧ１画素（Ｇ１１１〜Ｇ１５５）とＧ２画素（Ｇ２２２〜Ｇ２６６）とに基づいて、次式（１）により第１の画像データ３ａのＧ１面の各画素の画素値を演算する。また、Ｇ１画素（Ｇ１１１〜Ｇ１５５）とＧ２画素（Ｇ２２２〜Ｇ２６６）とに基づいて、次式（２）により第２の画像データ３ｂのＧ２面の各画素の画素値を演算する。
Ｇ１＝（Ｇ１＋Ｇ２）／２  ・・・（１）
Ｇ２＝{（Ｇ１―Ｇ２）／２}＋１２８  ・・・（２）
【００１６】
あるいは、画像処理装置１０３は、ＲＡＷデータ上で図４（ａ）に示すように配置されているＧ１画素（Ｇ１１１〜Ｇ１５５）とＧ２画素（Ｇ２２２〜Ｇ２６６）とに基づいて、上述した式（１）により第１の画像データ３ａのＧ１面の各画素の画素値を演算し、図４（ａ）に示すように配置されているＧ２画素（Ｇ２２２〜Ｇ２６６）を図４（ｇ）に示すように配置して第２の画像データ３ｂのＧ２面としてもよい。
【００１７】
あるいは、画像処理装置１０３は、ＲＡＷデータ上で図４（ａ）に示すように配置されているＧ１画素（Ｇ１１１〜Ｇ１５５）を図４（ｈ）に示すように配置して第１の画像データ３ａのＧ１面とし、ＲＡＷデータ上で図４（ａ）に示すように配置されているＧ１画素（Ｇ１１１〜Ｇ１５５）とＧ２画素（Ｇ２２２〜Ｇ２６６）とに基づいて、上述した式（２）により第２の画像データ３ｂＧ２面の各画素の画素値を演算してもよい。
【００１８】
次に、図５を用いて第１の画像データ３ａのＲ画素とＢ画素の作成方法について説明する。なお、図５においては、各画素の位置をＲＡＷデータ上における各画素の座標値を用いて示している。すなわち、図５（ａ）に示すＲＡＷデータ上において、左上の画素の座標値を（２ｉ，２ｊ）と表し、その画素位置に存在するＧ画素をＧ（２ｉ，２ｊ）と表している。また、Ｇ（２ｉ，２ｊ）の右隣に位置にするＲ画素はＲ（２ｉ＋１，２ｊ）と表し、Ｇ（２ｉ，２ｊ）の下に位置するＢ画素はＢ（２ｉ，２ｊ＋１）と表している。
【００１９】
この図５では、第１の画像データ３ａのＧ１面と第２の画像データ３ｂのＧ２面は、図４（ｂ）、（ｃ）に示した方法で作成したものである。すなわち、画像処理装置１０３は、ＲＡＷデータ上で図５（ａ）に示すように配置されているＧ（２ｉ，２ｊ）、Ｇ（２ｉ＋２，２ｊ）、Ｇ（２ｉ＋４，２ｊ）、Ｇ（２ｉ，２ｊ＋２）、Ｇ（２ｉ＋２，２ｊ＋２）、Ｇ（２ｉ＋４，２ｊ＋２）、Ｇ（２ｉ，２ｊ＋４）、Ｇ（２ｉ＋２，２ｊ＋４）、Ｇ（２ｉ＋４，２ｊ＋４）を図５（ｂ）に示すように配置して第１の画像データ３ａのＧ１面５ａとする。
【００２０】
また、画像処理装置１０３は、ＲＡＷデータ上で図５（ａ）に示すように配置されているＧ（２ｉ＋１，２ｊ＋１）、Ｇ（２ｉ＋３，２ｊ＋１）、Ｇ（２ｉ＋５，２ｊ＋１）、Ｇ（２ｉ＋１，２ｊ＋３）、Ｇ（２ｉ＋３，２ｊ＋３）、Ｇ（２ｉ＋４，２ｊ＋３）、Ｇ（２ｉ＋１，２ｊ＋５）、Ｇ（２ｉ＋３，２ｊ＋５）、Ｇ（２ｉ＋５，２ｊ＋５）を図５（ｃ）に示すように配置して第２の画像データ３ｂのＧ２面５ｄとする。なお、第１の画像データ３ａのＧ１面と第２の画像データ３ｂのＧ２面は、上述したように、図４（ｄ）と（ｅ）や、図４（ｆ）と（ｇ）や、図４（ｈ）と（ｉ）に示した方法で作成してもよい。
【００２１】
第１の画像データ３ａのＲ面５ｂについては、画像処理装置１０３は、ＲＡＷデータ上で図５（ａ）に示すように配置されているＲ（２ｉ＋１，２ｊ）、Ｒ（２ｉ＋３，２ｊ）、Ｒ（２ｉ＋５，２ｊ）、Ｒ（２ｉ＋１，２ｊ＋２）、Ｒ（２ｉ＋３，２ｊ＋２）、Ｒ（２ｉ＋５，２ｊ＋２）、Ｒ（２ｉ＋１，２ｊ＋４）、Ｒ（２ｉ＋３，２ｊ＋４）、Ｒ（２ｉ＋５，２ｊ＋４）を図５（ｂ）に示すように配置して第１の画像データ３ａのＲ面５ｂとする。
【００２２】
また、第１の画像データ３ａのＢ面５ｃについては、画像処理装置１０３は、ＲＡＷデータ上で図５（ａ）に示すように配置されているＢ（２ｉ，２ｊ＋１）、Ｂ（２ｉ＋２，２ｊ＋１）、Ｂ（２ｉ＋４，２ｊ＋１）、Ｂ（２ｉ，２ｊ＋３）、Ｂ（２ｉ＋２，２ｊ＋３）、Ｂ（２ｉ＋４，２ｊ＋３）、Ｂ（２ｉ，２ｊ＋５）、Ｂ（２ｉ＋２，２ｊ＋５）、Ｂ（２ｉ＋４，２ｊ＋５）を図５（ｂ）に示すように配置して第１の画像データ３ａのＲ面５ｃとする。
【００２３】
画像処理装置１０３は、以上のように作成した第１の画像データ３ａと第２の画像データ３ｂとに基づいて、それぞれの画像ファイルを作成して記憶媒体１０４に記録する。この際に画像処理装置１０３は、各画像ファイルのヘッダ部に、ＲＡＷデータにおける各画素をどのように配置して第１の画像データ３ａと第２の画像データ３ｂとを作成したかを特定するための情報を記録する。すなわち、第１の画像データ３ａに対応する画像ファイルのヘッダ部には、図５（ｂ）に示したように各画素を配置してＧ１面５ａ、Ｒ面５ｂ、Ｂ面５ｃを作成したことを特定するための情報として、例えば、図５（ｄ）に示す情報を記録する。
【００２４】
これは、第１の画像データ３ａのＧ１面の左上の画素として、ＲＡＷデータ上のＧ（２ｉ，２ｊ）を配置し、Ｒ面の左上の画素として、ＲＡＷデータ上のＲ（２ｉ＋１，２ｊ）を配置し、Ｂ面の左上の画素として、ＲＡＷデータ上のＢ（２ｉ，２ｊ＋１）を配置したことを示している。また、第２の画像データ３ｂに対応する画像ファイルのヘッダ部には、図５（ｃ）に示したように各画素を配置してＧ２面５ｄを作成したことを特定するための情報として、例えば、図５（ｅ）に示す情報を記録する。これは、第２の画像データ３ｂのＧ２面の左上の画素として、ＲＡＷデータ上のＧ（２ｉ＋１，２ｊ＋１）を配置したことを示している。
【００２５】
このように、画像ファイルのヘッダ部にＲＡＷデータにおける各画素をどのように配置して第１の画像データ３ａと３ｂとを作成したかを特定するための情報を記録しておけば、該情報を参照することにより、第１の画像データ３ａと３ｂとに基づいて容易にＲＡＷデータを復元することが可能となる。
【００２６】
なお、画像処理装置１０３は、第１の画像データ３ａに対応する画像ファイルと第２の画像データ３ｂに対応する画像ファイルとを記憶媒体１０４に記録するに際して、第１の画像データ３ａと第２の画像データ３ｂとを関連付けて記録するようにする。これにより、使用者は、２つの画像データが１つのＲＡＷデータに基づいて作成された関連する画像データであることを識別することが可能となる。
【００２７】
例えば、第１の画像データ３ａに対応する画像ファイル名の一部と第２の画像データ３ｂに対応する画像ファイル名の一部とを共通にすることにより、両画像データを関連付けてもよい。あるいは、マルチピクチャフォーマットのように、１つの画像ファイル内に複数の画像データを記録することができるファイル形式を採用する場合には、第１の画像データ３ａと第２の画像データ３ｂとを１つのファイル内に記録することにより、両画像データを関連付けてもよい。この場合には、画像処理装置１０３は、第１の画像データ３ａと第２の画像データ３ｂとを記録した画像ファイルのヘッダ部に図５（ｄ）、（ｅ）に示した情報を記録すればよい。
【００２８】
―第２の実施の形態―
第２の実施の形態では、画像処理装置１０３は、図６（ａ）に示すように、ＲＡＷデータに基づいて、Ｇ１の色情報を含むＧ１面と、Ｒの色情報を含むＲ面と、Ｂの色情報を含むＢ面とを用いて、３色の色情報を１画素に持つＮ画素の第１の画像データ３ａを生成し、Ｇ２の色情報を含むＧ２面と、Ｒの色情報を含むＲ面と、Ｂの色情報を含むＢ面とを用いて、３色の色情報を１画素に持つＮ画素の第２の画像データ６ａを生成し、これらを記憶媒体１０４に記録する。すなわち、図２に示した３６画素のＲＡＷデータは、Ｒ、Ｇ１、Ｂの３面を持つ９画素（３画素×３画素）の第１の画像データ３ａと、Ｒ、Ｇ２、Ｂの３面を持つ９画素（３画素×３画素）の第２の画像データ６ａとに変換されて記録されることになる。
【００２９】
これによって、記録される画像データは、上記ＲＡＷデータよりも１／４のデータサイズの第１の画像データ３ａと第２の画像データ６ａとで済むため、記録する画像データのサイズを小さくすることができ、使用者が画像データを扱いやすくなる。また、第１の画像データ３ａおよび第２の画像データ６ａは、Ｒ、Ｇ、Ｂの３色の色情報を持つため、使用者は、第１の画像データ３ａや第２の画像データ６ａを開くことにより、画像を閲覧することが可能となる。さらに、第１の画像データ３ａと第２の画像データ６ａとを用いれば、図６（ｂ）に示すように、ＲＡＷデータを復元することが可能であるため、これら２つの第１の画像データ３ａと第２の画像データ６ａとを記録しておけば、ＲＡＷデータを保存した場合と同様に画像データを扱うことができる。
【００３０】
第２の実施の形態における第１の画像データ３ａと第２の画像データ６ａの作成方法について、図７を用いて説明する。この図７においても、図５と同様に各画素の位置をＲＡＷデータ上における各画素の座標値を用いて示している。すなわち、図７（ａ）に示すＲＡＷデータ上において、左上の画素の座標値を（２ｉ，２ｊ）と表し、その画素位置に存在するＧ画素をＧ（２ｉ，２ｊ）と表している。また、Ｇ（２ｉ，２ｊ）の右隣に位置にするＲ画素はＲ（２ｉ＋１，２ｊ）と表し、Ｇ（２ｉ，２ｊ）の下に位置するＢ画素はＢ（２ｉ，２ｊ＋１）と表している。
【００３１】
第２の実施の形態では、画像処理装置１０３は、図７（ｂ）に示すように、第１の実施の形態と同様の方法で第１の画像データ３ａのＧ１面７ａ、Ｒ面７ｂ、およびＢ面７ｃを作成する。また、画像処理装置１０３は、図７（ｃ）に示すように、第１の実施の形態と同様の方法で第２の画像データ６ａのＧ２面７ｄを作成する。さらに、画像処理装置１０３は、図７（ｃ）に示すように、第１の画像データ３ａのＲ面７ｂ、およびＢ面７ｃと同様の方法で、第２の画像データ６ａのＲ面７ｅ、およびＢ面７ｆを作成する。
【００３２】
画像処理装置１０３は、第１の実施の形態と同様に、以上のように作成した第１の画像データ３ａと第２の画像データ６ａとに基づいて、それぞれの画像ファイルを作成して記憶媒体１０４に記録する。このとき、画像処理装置１０３は、第１の実施の形態と同様に、第１の画像データ３ａに対応する画像ファイルと第２の画像データ３ｂに対応する画像ファイルとを関連付けて記録するようにする。
【００３３】
また、画像処理装置１０３は、第１の実施の形態と同様に、各画像ファイルのヘッダ部に、ＲＡＷデータにおける各画素をどのように配置して第１の画像データ３ａと６ａとを作成したかを特定するための情報を記録する。すなわち、第１の画像データ３ａに対応する画像ファイルのヘッダ部には、図７（ｂ）に示したように各画素を配置してＧ１面７ａ、Ｒ面７ｂ、Ｂ面７ｃを作成したことを特定するための情報として、例えば、図７（ｄ）に示す情報を記録する。また、第２の画像データ６ａに対応する画像ファイルのヘッダ部には、図７（ｃ）に示したように各画素を配置してＧ２面７ｄ、Ｒ面７ｅ、Ｂ面７ｆを作成したことを特定するための情報として、例えば、図７（ｅ）に示す情報を記録する。
【００３４】
このように、画像ファイルのヘッダ部にＲＡＷデータにおける各画素をどのように配置して第１の画像データ３ａと６ａとを作成したかを特定するための情報を記録しておけば、該情報を参照することにより、第１の画像データ３ａと６ａとに基づいて容易にＲＡＷデータを復元することが可能となる。
【００３５】
―第３の実施の形態―
第３の実施の形態では、画像処理装置１０３は、図８（ａ）に示すように、ＲＡＷデータに基づいて、Ｇ１の色情報を含むＧ１面と、Ｒの色情報を含むＲ面と、Ｂの色情報を含むＢ面とを用いて、３色の色情報を１画素に持つＮ画素の第１の画像データ３ａを生成し、Ｇ２の色情報を含むＧ２面と、Ｒ´の色情報を含むＲ面と、Ｂ´の色情報を含むＢ面とを用いて、３色の色情報を１画素に持つＮ画素の第２の画像データ８ａを生成し、これらを記憶媒体１０４に記録する。すなわち、図２に示した３６画素のＲＡＷデータは、Ｒ、Ｇ１、Ｂの３面を持つ９画素（３画素×３画素）の第１の画像データ３ａと、Ｒ、Ｇ２、Ｂの３面を持つ９画素（３画素×３画素）の第２の画像データ８ａとに変換されて記録されることになる。なお、図８（ａ）においては、ＲＡＷデータにおいてＧ２画素の下に位置しているＲ画素をＲ´と表記し、Ｇ２画素の右隣に位置している画素をＢ´と表記している。
【００３６】
これによって、記録される画像データは、上記ＲＡＷデータよりも１／４のデータサイズの第１の画像データ３ａと第２の画像データ８ａとで済むため、記録する画像データのサイズを小さくすることができ、使用者が画像データを扱いやすくなる。また、第１の画像データ３ａおよび第２の画像データ８ａは、Ｒ、Ｇ、Ｂの３色の色情報を持つため、使用者は、第１の画像データ３ａや第２の画像データ８ａを開くことにより、画像を閲覧することが可能となる。さらに、第１の画像データ３ａと第２の画像データ８ａとを用いれば、図８（ｂ）に示すように、ＲＡＷデータを復元することが可能であるため、これら２つの第１の画像データ３ａと第２の画像データ８ａとを記録しておけば、ＲＡＷデータを保存した場合と同様に画像データを扱うことができる。
【００３７】
第３の実施の形態における第１の画像データ３ａと第２の画像データ８ａの作成方法について、図９を用いて説明する。この図９においても、図５や図７と同様に各画素の位置をＲＡＷデータ上における各画素の座標値を用いて示している。すなわち、図９（ａ）に示すＲＡＷデータ上において、左上の画素の座標値を（２ｉ，２ｊ）と表し、その画素位置に存在するＧ画素をＧ（２ｉ，２ｊ）と表している。また、Ｇ（２ｉ，２ｊ）の右隣に位置にするＲ画素はＲ（２ｉ＋１，２ｊ）と表し、Ｇ（２ｉ，２ｊ）の下に位置するＢ画素はＢ（２ｉ，２ｊ＋１）と表している。
【００３８】
第３の実施の形態では、画像処理装置１０３は、図９（ｂ）に示すように、第１および第２の実施の形態と同様の方法で第１の画像データ３ａのＧ１面９ａ、Ｒ面９ｂ、およびＢ面９ｃを作成する。また、画像処理装置１０３は、図９（ｃ）に示すように、第１および第２の実施の形態と同様の方法で第２の画像データ８ａのＧ２面９ｄを作成する。
【００３９】
画像処理装置１０３は、図９（ｃ）に示すように、第２の画像データ８ａのＲ面９ｅについては、ＲＡＷデータ上で図９（ａ）に示すように配置されているＲ（２ｉ＋１，２ｊ＋２）、Ｒ（２ｉ＋３，２ｊ＋２）、Ｒ（２ｉ＋５，２ｊ＋２）、Ｒ（２ｉ＋１，２ｊ＋４）、Ｒ（２ｉ＋３，２ｊ＋４）、Ｒ（２ｉ＋５，２ｊ＋４）、Ｒ（２ｉ＋１，２ｊ＋６）、Ｒ（２ｉ＋３，２ｊ＋６）、Ｒ（２ｉ＋５，２ｊ＋６）を図９（ｃ）に示すように配置して第２の画像データ８ａのＲ面９ｅとする。
【００４０】
また、第２の画像データ８ａのＢ面９ｆについては、画像処理装置１０３は、ＲＡＷデータ上で図９（ａ）に示すように配置されているＢ（２ｉ＋２，２ｊ＋１）、Ｂ（２ｉ＋４，２ｊ＋１）、Ｂ（２ｉ＋６，２ｊ＋１）、Ｂ（２ｉ＋２，２ｊ＋３）、Ｂ（２ｉ＋４，２ｊ＋３）、Ｂ（２ｉ＋６，２ｊ＋３）、Ｂ（２ｉ＋２，２ｊ＋５）、Ｂ（２ｉ＋４，２ｊ＋５）、Ｂ（２ｉ＋６，２ｊ＋５）を図９（ｃ）に示すように配置して第２の画像データ８ａのＲ面９ｆとする。
【００４１】
画像処理装置１０３は、第１の実施の形態や第２の実施の形態と同様に、以上のように作成した第１の画像データ３ａと第２の画像データ８ａとに基づいて、それぞれの画像ファイルを作成して記憶媒体１０４に記録する。このとき、画像処理装置１０３は、第１の実施の形態や第２の実施の形態と同様に、第１の画像データ３ａに対応する画像ファイルと第２の画像データ８ａに対応する画像ファイルとを関連付けて記録するようにする。
【００４２】
また、画像処理装置１０３は、第１の実施の形態や第２の実施の形態と同様に、各画像ファイルのヘッダ部に、ＲＡＷデータにおける各画素をどのように配置して第１の画像データ３ａと８ａとを作成したかを特定するための情報を記録する。すなわち、第１の画像データ３ａに対応する画像ファイルのヘッダ部には、図９（ｂ）に示したように各画素を配置してＧ１面９ａ、Ｒ面９ｂ、Ｂ面９ｃを作成したことを特定するための情報として、例えば、図９（ｄ）に示す情報を記録する。また、第２の画像データ８ａに対応する画像ファイルのヘッダ部には、図９（ｃ）に示したように各画素を配置してＧ２面９ｄ、Ｒ面９ｅ、Ｂ面９ｆを作成したことを特定するための情報として、例えば、図９（ｅ）に示す情報を記録する。
【００４３】
このように、画像ファイルのヘッダ部にＲＡＷデータにおける各画素をどのように配置して第１の画像データ３ａと８ａとを作成したかを特定するための情報を記録しておけば、該情報を参照することにより、第１の画像データ３ａと８ａとに基づいて容易にＲＡＷデータを復元することが可能となる。
【００４４】
―第４の実施の形態―
第４の実施の形態では、画像処理装置１０３は、図１０（ａ）に示すように、ＲＡＷデータに基づいて、（Ｇ１＋Ｇ２）／２の色情報を含むＧ面と、Ｒの色情報を含むＲ面と、Ｂの色情報を含むＢ面とを用いて、３色の色情報を１画素に持つＮ画素の第１の画像データ１０ａを生成し、（Ｇ１−Ｇ２）／２＋１２８の色情報を含むＧ面を用いて、１色の色情報を１画素に含むＮ画素の第２の画像データ１０ｂを生成し、これらを記憶媒体１０４に記録する。すなわち、図２に示した３６画素のＲＡＷデータは、Ｒ、Ｇ１、Ｂの３面を持つ９画素（３画素×３画素）の第１の画像データ１０ａと、Ｇ２面のみの９画素（３画素×３画素）の第２の画像データ１０ｂとに変換されて記録されることになる。
【００４５】
これによって、記録される画像データは、上記ＲＡＷデータよりも１／４のデータサイズの第１の画像データ１０ａと第２の画像データ１０ｂとで済むため、記録する画像データのサイズを小さくすることができ、使用者が画像データを扱いやすくなる。また、第１の画像データ１０ａは、Ｒ、Ｇ、Ｂの３色の色情報を持つため、使用者は、第１の画像データ１０ａを開くことにより、画像を閲覧することが可能となる。さらに、第１の画像データ１０ａと第２の画像データ１０ｂとを用いれば、図１０（ｂ）に示すように、ＲＡＷデータを復元することが可能であるため、これら２つの第１の画像データ１０ａと第２の画像データ１０ｂとを記録しておけば、ＲＡＷデータを保存した場合と同様に画像データを扱うことができる。
【００４６】
第４の実施の形態における第１の画像データ１０ａと第２の画像データ１０ｂの作成方法について、図１１を用いて説明する。この図１１においても、図５、図７、図９と同様に各画素の位置をＲＡＷデータ上における各画素の座標値を用いて示している。すなわち、図１１（ａ）に示すＲＡＷデータ上において、左上の画素の座標値を（２ｉ，２ｊ）と表し、その画素位置に存在するＧ画素をＧ（２ｉ，２ｊ）と表している。また、Ｇ（２ｉ，２ｊ）の右隣に位置にするＲ画素はＲ（２ｉ＋１，２ｊ）と表し、Ｇ（２ｉ，２ｊ）の下に位置するＢ画素はＢ（２ｉ，２ｊ＋１）と表している。
【００４７】
第４の実施の形態では、画像処理装置１０３は、図１１（ｂ）に示すように、第１および第２の実施の形態における第１の画像データ３ａのＲ面とＢ面と同様の方法で第１の画像データ１０ａのＲ面１１ｂとＢ面１１ｃとを作成する。
【００４８】
そして、画像処理装置１０３は、第１の画像データ１０ａのＧ１面１１ａについては、ＲＡＷデータ上で図１１（ａ）に示すように配置されているＧ画素を用いて、以下のように演算を行なって作成する。すなわち、画像処理装置１０３は、｛Ｇ（２ｉ，２ｊ）＋Ｇ（２ｉ＋１，２ｊ＋１）｝／２、｛Ｇ（２ｉ＋２，２ｊ）＋Ｇ（２ｉ＋３，２ｊ＋１）｝／２、｛Ｇ（２ｉ＋４，２ｊ）＋Ｇ（２ｉ＋５，２ｊ＋１）｝／２、｛Ｇ（２ｉ，２ｊ＋２）＋Ｇ（２ｉ＋１，２ｊ＋３）｝／２、｛Ｇ（２ｉ＋２，２ｊ＋２）＋Ｇ（２ｉ＋３，２ｊ＋３）｝／２、｛Ｇ（２ｉ＋４，２ｊ＋２）＋Ｇ（２ｉ＋５，２ｊ＋３）｝／２、｛Ｇ（２ｉ，２ｊ＋４）＋Ｇ（２ｉ＋１，２ｊ＋５）｝／２、｛Ｇ（２ｉ＋２，２ｊ＋４）＋Ｇ（２ｉ＋３，２ｊ＋５）｝／２、｛Ｇ（２ｉ＋４，２ｊ＋４）＋Ｇ（２ｉ＋５，２ｊ＋５）｝／２を図１１（ｂ）に示すように配置して第１の画像データ１０ａのＧ１面１１ａとする。
【００４９】
また、画像処理装置１０３は、第２の画像データ１０ｂのＧ２面１１ｄについては、ＲＡＷデータ上で図１１（ａ）に示すように配置されているＧ画素を用いて、以下のように演算を行なって作成する。すなわち、画像処理装置１０３は、｛２５６＋Ｇ（２ｉ，２ｊ）−Ｇ（２ｉ＋１，２ｊ＋１）｝／２、｛２５６＋Ｇ（２ｉ＋２，２ｊ）−Ｇ（２ｉ＋３，２ｊ＋１）｝／２、｛２５６＋Ｇ（２ｉ＋４，２ｊ）−Ｇ（２ｉ＋５，２ｊ＋１）｝／２、｛２５６＋Ｇ（２ｉ，２ｊ＋２）−Ｇ（２ｉ＋１，２ｊ＋３）｝／２、｛２５６＋Ｇ（２ｉ＋２，２ｊ＋２）−Ｇ（２ｉ＋３，２ｊ＋３）｝／２、｛２５６＋Ｇ（２ｉ＋４，２ｊ＋２）−Ｇ（２ｉ＋５，２ｊ＋３）｝／２、｛２５６＋Ｇ（２ｉ，２ｊ＋４）−Ｇ（２ｉ＋１，２ｊ＋５）｝／２、｛２５６＋Ｇ（２ｉ＋２，２ｊ＋４）−Ｇ（２ｉ＋３，２ｊ＋５）｝／２、｛２５６＋Ｇ（２ｉ＋４，２ｊ＋４）−Ｇ（２ｉ＋５，２ｊ＋５）｝／２を図１１（ｃ）に示すように配置して第２の画像データ１０ｂのＧ２面１１ｄとする。
【００５０】
画像処理装置１０３は、第１〜第３の実施の形態と同様に、以上のように作成した第１の画像データ１０ａと第２の画像データ１０ｂとに基づいて、それぞれの画像ファイルを作成して記憶媒体１０４に記録する。このとき、画像処理装置１０３は、第１〜第３の実施の形態と同様に、第１の画像データ１０ａに対応する画像ファイルと画像データ１１ｂに対応する画像ファイルとを関連付けて記録するようにする。
【００５１】
また、画像処理装置１０３は、第１〜第３の形態と同様に、各画像ファイルのヘッダ部に、ＲＡＷデータにおける各画素をどのように配置して第１の画像データ１０ａと１０ｂとを作成したかを特定するための情報を記録する。すなわち、第１の画像データ１０ａに対応する画像ファイルのヘッダ部には、図１１（ｂ）に示したように各画素を配置してＧ１面１１ａ、Ｒ面１１ｂ、Ｂ面１１ｃを作成したことを特定するための情報として、例えば、図１１（ｄ）に示す情報を記録する。また、第２の画像データ１０ｂに対応する画像ファイルのヘッダ部には、図９（ｃ）に示したように各画素を配置してＧ２面１１ｄを作成したことを特定するための情報として、例えば、図１１（ｅ）に示す情報を記録する。
【００５２】
このように、画像ファイルのヘッダ部にＲＡＷデータにおける各画素をどのように配置して第１の画像データ１０ａと１０ｂとを作成したかを特定するための情報を記録しておけば、該情報を参照することにより、第１の画像データ１０ａと１０ｂとに基づいて容易にＲＡＷデータを復元することが可能となる。
【００５３】
―第５の実施の形態―
第５の実施の形態では、画像処理装置１０３は、図１２（ａ）に示すように、ＲＡＷデータに基づいて、Ｇ１の色情報を含むＧ１面と、Ｒの色情報を含むＲ面と、Ｂの色情報を含むＢ面とを用いて、３色の色情報を１画素に持つＮ画素の第１の画像データ３ａを生成し、Ｇ２の色情報を含むＧ２面と、（Ｒ＋Ｒ´）／２の色情報を含むＲ面と、（Ｂ＋Ｂ´）／２の色情報を含むＢ面とを用いて、３色の色情報を１画素に持つＮ画素の第２の画像データ１２ａを生成し、これらを記憶媒体１０４に記録する。すなわち、図２に示した３６画素のＲＡＷデータは、Ｒ、Ｇ１、Ｂの３面を持つ９画素（３画素×３画素）の第１の画像データ３ａと、Ｒ、Ｇ２、Ｂの３面を持つ９画素（３画素×３画素）の第２の画像データ１２ａとに変換されて記録されることになる。なお、図１２（ａ）においては、第３の実施の形態における図８（ａ）と同様に、ＲＡＷデータにおいてＧ２画素の下に位置しているＲ画素をＲ´と表記し、Ｇ２画素の右隣に位置している画素をＢ´と表記している。
【００５４】
これによって、記録される画像データは、上記ＲＡＷデータよりも１／４のデータサイズの第１の画像データ３ａと第２の画像データ１２ａとで済むため、記録する画像データのサイズを小さくすることができ、使用者が画像データを扱いやすくなる。また、第１の画像データ３ａおよび第２の画像データ１２ａは、Ｒ、Ｇ、Ｂの３色の色情報を持つため、使用者は、第１の画像データ３ａや第２の画像データ１２ａを開くことにより、画像を閲覧することが可能となる。さらに、第１の画像データ３ａと第２の画像データ１２ａとを用いれば、図１２（ｂ）に示すように、ＲＡＷデータを復元することが可能であるため、これら２つの第１の画像データ３ａと第２の画像データ１２ａとを記録しておけば、ＲＡＷデータを保存した場合と同様に画像データを扱うことができる。
【００５５】
第５の実施の形態における第１の画像データ３ａと第２の画像データ１２ａの作成方法について、図１３を用いて説明する。この図１３においても、図５、図７、図９と同様に各画素の位置をＲＡＷデータ上における各画素の座標値を用いて示している。すなわち、図１３（ａ）に示すＲＡＷデータ上において、左上の画素の座標値を（２ｉ，２ｊ）と表し、その画素位置に存在するＧ画素をＧ（２ｉ，２ｊ）と表している。また、Ｇ（２ｉ，２ｊ）の右隣に位置にするＲ画素はＲ（２ｉ＋１，２ｊ）と表し、Ｇ（２ｉ，２ｊ）の下に位置するＢ画素はＢ（２ｉ，２ｊ＋１）と表している。
【００５６】
第５の実施の形態では、画像処理装置１０３は、図１３（ｂ）に示すように、第１〜第３の実施の形態と同様の方法で第１の画像データ３ａのＧ１面１３ａ、Ｒ面１３ｂ、およびＢ面１３ｃを作成する。また、画像処理装置１０３は、図１３（ｃ）に示すように、第１〜第３の実施の形態と同様の方法で第２の画像データ８ａのＧ２面１３ｄを作成する。
【００５７】
画像処理装置１０３は、図１３（ｃ）に示すように、第２の画像データ１２ａのＲ面１３ｅについては、ＲＡＷデータ上で図１３（ａ）に示すように配置されているＲ画素を用いて、以下のように演算を行なって作成する。すなわち、画像処理装置１０３は、｛Ｒ（２ｉ＋１，２ｊ）＋Ｒ（２ｉ＋１，２ｊ＋２）｝／２、｛Ｒ（２ｉ＋３，２ｊ）＋Ｒ（２ｉ＋３，２ｊ＋２）｝／２、｛Ｒ（２ｉ＋５，２ｊ）＋Ｒ（２ｉ＋５，２ｊ＋２）｝／２、｛Ｒ（２ｉ＋１，２ｊ＋２）＋Ｒ（２ｉ＋１，２ｊ＋４）｝／２、｛Ｒ（２ｉ＋３，２ｊ＋２）＋Ｒ（２ｉ＋３，２ｊ＋４）｝／２、｛Ｒ（２ｉ＋５，２ｊ＋２）＋Ｒ（２ｉ＋５，２ｊ＋４）｝／２、｛Ｒ（２ｉ＋１，２ｊ＋４）＋Ｒ（２ｉ＋１，２ｊ＋６）｝／２、｛Ｒ（２ｉ＋３，２ｊ＋４）＋Ｒ（２ｉ＋３，２ｊ＋６）｝／２、｛Ｒ（２ｉ＋５，２ｊ＋４）＋Ｒ（２ｉ＋５，２ｊ＋６）｝／２を図１３（ｃ）に示すように配置して第２の画像データ１２ａのＲ面１３ｅとする。
【００５８】
また、画像処理装置１０３は、図１３（ｃ）に示すように、第２の画像データ１２ａのＢ面１３ｆについては、ＲＡＷデータ上で図１３（ａ）に示すように配置されているＢ画素を用いて、以下のように演算を行なって作成する。すなわち、画像処理装置１０３は、｛Ｂ（２ｉ，２ｊ＋１）＋Ｂ（２ｉ＋２，２ｊ＋１）｝／２、｛Ｂ（２ｉ＋２，２ｊ＋１）＋Ｂ（２ｉ＋４，２ｊ＋１）｝／２、｛Ｂ（２ｉ＋４，２ｊ＋１）＋Ｂ（２ｉ＋６，２ｊ＋１）｝／２、｛Ｂ（２ｉ，２ｊ＋３）＋Ｂ（２ｉ＋２，２ｊ＋３）｝／２、｛Ｂ（２ｉ＋２，２ｊ＋３）＋Ｂ（２ｉ＋４，２ｊ＋３）｝／２、｛Ｂ（２ｉ＋４，２ｊ＋３）＋Ｂ（２ｉ＋６，２ｊ＋３）｝／２、｛Ｂ（２ｉ，２ｊ＋５）＋Ｂ（２ｉ＋２，２ｊ＋５）｝／２、｛Ｂ（２ｉ＋２，２ｊ＋５）＋Ｂ（２ｉ＋４，２ｊ＋５）｝／２、｛Ｂ（２ｉ＋４，２ｊ＋５）＋Ｂ（２ｉ＋６，２ｊ＋５）｝／２を図１３（ｃ）に示すように配置して第２の画像データ１２ａのＢ面１３ｆとする。
【００５９】
画像処理装置１０３は、第１〜第４の実施の形態と同様に、以上のように作成した第１の画像データ３ａと第２の画像データ１２ａとに基づいて、それぞれの画像ファイルを作成して記憶媒体１０４に記録する。このとき、画像処理装置１０３は、第１〜第４の実施の形態と同様に、第１の画像データ３ａに対応する画像ファイルと第２の画像データ１２ａに対応する画像ファイルとを関連付けて記録するようにする。
【００６０】
また、画像処理装置１０３は、第１〜第４の形態と同様に、各画像ファイルのヘッダ部に、ＲＡＷデータにおける各画素をどのように配置して第１の画像データ３ａと１２ａとを作成したかを特定するための情報を記録する。すなわち、第１の画像データ３ａに対応する画像ファイルのヘッダ部には、図１３（ｂ）に示したように各画素を配置してＧ１面１３ａ、Ｒ面１３ｂ、Ｂ面１３ｃを作成したことを特定するための情報として、例えば、図１３（ｄ）に示す情報を記録する。また、第２の画像データ１２ａに対応する画像ファイルのヘッダ部には、図１３（ｃ）に示したように各画素を配置してＧ２面１３ｄ、Ｒ面１３ｅ、Ｂ面１３ｆを作成したことを特定するための情報として、例えば、図１３（ｅ）に示す情報を記録する。
【００６１】
このように、画像ファイルのヘッダ部にＲＡＷデータにおける各画素をどのように配置して第１の画像データ３ａと１２ａとを作成したかを特定するための情報を記録しておけば、該情報を参照することにより、第１の画像データ３ａと１２ａとに基づいて容易にＲＡＷデータを復元することが可能となる。
【００６２】
―第６の実施の形態―
上述した第１〜第５の実施の形態では、ＲＡＷデータと比べてデータサイズが１／４のＲＧＢ色空間の第１の画像データと第２の画像データを生成して記録する例について説明した。第６の実施の形態では、第１〜第５の実施の形態で説明したように生成した第１の画像データと第２の画像データのＲ面とＢ面を色差情報に変換して記録する例について説明する。これによって、さらに効率的に画像データを記録することが可能となる。
【００６３】
具体的には、画像処理装置１０３は、Ｇ面（Ｇ１面、Ｇ２面）はそのままにして、Ｒ面を次式（３）により色差Ｃｒに変換する。
Ｃｒ＝Ｒ−Ｇ  ・・・（３）
また、Ｂ面を次式（４）により色差Ｃｂに変換する。
Ｃｂ＝Ｂ−Ｇ  ・・・（４）
【００６４】
あるいは、Ｇ面を次式（５）により輝度情報Ｙに変換し、Ｒ面を次式（６）により色差Ｃｒに変換し、Ｂ面を次式（７）により色差Ｃｂに変換してもよい。
Ｙ＝αＲ＋βＧ＋γＢ  ・・・（５）
Ｃｒ＝Ｒ−Ｙ  ・・・（６）
Ｃｂ＝Ｂ−Ｙ  ・・・（７）
【００６５】
―第７の実施の形態―
第７の実施の形態では、上述した撮像素子１０２から出力されるデータを階調圧縮してから用いる方法について説明する。これによって、さらに効率的に画像データを記録することが可能となる。具体的には、画像処理装置１０３は、撮像素子１０２から出力される入力光強度にリニアな画素出力の階調変換特性ｆ（ｘ）をかけて階調変換を行ったＲ画素、Ｇ画素、Ｂ画素を用いて第１の画像データと第２の画像データを生成するよりも、図１４に示すような階調圧縮を行なうための階調変換特性ｆ（ｘ）をかけて階調変換を行ったＲ画素、Ｇ画素、Ｂ画素を用いて第１の画像データと第２の画像データを生成した方が、第１および第２の画像データのデータサイズを小さくできる。
【００６６】
よって、本実施の形態では、画像処理装置１０３は、撮像素子１０２から出力されるデータに対して図１４に示す階調変換特性ｆ（ｘ）を用いて階調変換を行った後に、第１〜第５の実施の形態で上述した方法で第１および第２の画像データを生成し、記憶媒体１０４へ記録する。なお、階調変換特性ｆ（ｘ）としては、図１４（ａ）に示すような撮像素子１０２からの出力を１／２乗〜１／３乗させる次式（８）により表されるｆ（ｘ）や、図１４（ｂ）に示すような原点付近ではリニア出力させ、全体として１／２乗〜１／３乗させる次式（９）により表されるｆ（ｘ）を用いればよい。
ｆ（ｘ）＝ｘγ    １／３＜γ＜１／２  ・・・（８）
ｆ（ｘ）＝ｘ／１２．９２  ；ｘ＜０．０４０４５
ｆ（ｘ）＝［（ｘ＋０．０５５）／１．０５５］２．４  ；ｘ  ｏｔｅｒｗｉｓｅ  ・・・（９）
【００６７】
―第８の実施の形態―
第１〜第５の実施の形態では、撮像素子１０２から出力される入力光強度に対してリニアナ画素出力のＲ画素、Ｇ画素、Ｂ画素を用い、第７の実施の形態では、撮像素子１０２から出力されるデータを階調圧縮してから用いる例について説明した。これらの場合、撮像素子１０２の特性や照明光の色温度等によってホワイトバランスが崩れた絵が得られる可能性があり、この場合は、第１および第２の画像データのうち、３色の色情報を１画素に持つ画像データは、色バランスの悪い画像となってしまう。
【００６８】
そこで第８の実施の形態では、このような問題を解消するために、画像処理装置１０３は、撮像素子１０２から出力されるＲ画素の画素値とＢ画素の画素値に、公知の方法で算出したゲインをかけてホワイトバランス処理を行なう。例えば、Ｒ画素の画素値にはＧａｉｎＲ＝１．５をかけ、Ｂ画素の画素値にはＧａｉｎＢ＝２をかける。これによって、ホワイトバランスのとれた画像データを得ることができる。また、この場合、画像処理装置１０３は、記憶媒体１０４に記録する画像ファイルのヘッダ情報として、上記ＧａｉｎＲとＧａｉｎＢの値を記録するようにしてもよい。
【００６９】
―変形例―
なお、上述した第１〜第８の実施の形態では、本発明をカメラ１００に適用する例について説明した。しかしながら、撮像素子で撮像されたデータを読み込んで画像処理を行なうことができる他の機器、例えばパソコン等にも本発明は適用可能である。
【００７０】
なお、本発明の特徴的な機能を損なわない限り、本発明は、上述した実施の形態における構成に何ら限定されない。また、上述の実施の形態と複数の変形例を組み合わせた構成としてもよい。
【符号の説明】
【００７１】
１００  カメラ、１０１  撮影レンズ、１０２  撮像素子、１０３  画像処理装置、１０４  記憶媒体
【図１】
2012004807.tif 000003
【図２】
2012004807.tif 000004
【図３】
2012004807.tif 000005
【図４】
2012004807.tif 000006
【図５】
2012004807.tif 000007
【図６】
2012004807.tif 000008
【図７】
2012004807.tif 000009
【図８】
2012004807.tif 000010
【図９】
2012004807.tif 000011
【図１０】
2012004807.tif 000012
【図１１】
2012004807.tif 000013
【図１２】
2012004807.tif 000014
【図１３】
2012004807.tif 000015
【図１４】
2012004807.tif 000016